(57)【特許請求の範囲】
【請求項１】
密封箱の上側に石油汲み上げポンプを設置した石油井戸口用盗難防止弁であって、
井戸の蓋を含み、
前記井戸の蓋が地面に固定的に設置され、前記地面の中には上方に開口した石油井が設置され、前記井戸の蓋の中には下方に開口した石油貯蔵空間が設置され、前記石油貯蔵空間が前記石油井と向き合い、前記石油貯蔵空間の上側内壁には上方に開口した抜き穴が前記石油貯蔵空間と連通するように設置され、前記井戸の蓋の上側にはバルブボディーが回転可能に設置され、前記バルブボディーの中には前記バルブボディーの中心から離れるように開口した連結空間が上下対称となるように設置され、前記井戸の蓋の上端が下側の前記連結空間の中に延びて前記バルブボディーと回転可能に連結され、前記バルブボディーの上側には前記バルブボディーの中心を回転中心とする前記密封箱が回転可能に設置され、前記密封箱の下端が上側の前記連結空間の中に延びて前記バルブボディーと回転可能に連結され、
前記バルブボディーの中には密封通路が前記バルブボディーを上下に貫通するように設置され、前記密封通路の下側開口が前記バルブボディーの回転中心に位置し、前記密封箱の中には石油出し通路が前記密封箱を上下に貫通するように設置され、前記石油出し通路の下側開口が前記密封通路の上側開口と向き合い、前記石油出し通路の上側開口が前記密封箱の中心部に位置し、前記バルブボディーの上下両端には前記密封通路の中心を対称中心とする連結管路が対称となるように、かつ固定的に連結され、前記連結管路がそれぞれ前記密封通路の上下両側の開口と向き合い、前記連結管路において前記密封通路から離れた一端がそれぞれ前記井戸の蓋及び前記密封箱に当接し、前記連結管路の中には石油通路が前記連結管路を上下に貫通するように設置され、前記石油通路は前記石油出し通路及び前記抜き穴を前記密封通路と連通させ、
前記バルブボディーの中には密封装置が設置され、前記密封装置により前記密封通路を閉じるまたは開けることができ、前記地面の上側には前記井戸の蓋の中心を回転中心として回転できるスライド板が上下方向にスライド可能に設置され、前記スライド板と前記井戸の蓋とが上下方向にスライド可能に連結され、前記スライド板の中には上方に開口した制限空間が設置され、前記スライド板がスライドすることにより、前記バルブボディーが前記制限空間の中に滑り込んで前記スライド板と噛み合うことができ、また、前記密封装置が前記密封通路を閉じるまたは開けるように駆動されることもでき、水平方向においての一方の側を第一の側、前記第一の側と反対の側を第二の側としたときに、前記スライド板の前記第一の側及び前記第二の側には回転装置が設置され、前記回転装置は前記スライド板を回転させることができ、前記スライド板の前記第一の側及び前記第二の側には昇降装置が連結され、前記昇降装置は前記スライド板をスライドさせることができ、
前記制限空間の円形内壁には、上方に開口した六つのキー溝が環状に配列され、かつ前記制限空間と連通し、前記バルブボディーの外周面には環状に配列された六つの固定キーが固定的に連結されており、前記固定キーは前記キー溝の中に滑り込んで前記スライド板と連結されることができ、ここで前記スライド板が回転して前記固定キーにより前記バルブボディーを回転させ、
前記昇降装置は前記地面の中に前記第一の側及び前記第二の側に対称となるように設置された空き空間を含み、前記空き空間の中には主動プーリが回転可能に設置され、前記主動プーリの中にはモーター軸が固定的に連結され、前記空き空間の後側内壁には昇降モーターが固定的に設置され、前記モーター軸の後端が前記昇降モーターに伝動可能に連結され、
前記地面の上端には固定ロッドが前記第一の側及び前記第二の側に対称となるように、かつ固定的に連結され、前記固定ロッドの中には下方に開口したベルト溝が形成され、前記ベルト溝の中には従動プーリが回転可能に設置され、前記従動プーリの中には連結軸が固定的に連結され、前記従動プーリと前記主動プーリとが連結ベルトにより連結され、
前記固定ロッドにおいて対称中心に近接した側にはリンクが揺動可能に設置され、前記リンクの中には対称中心から離れるように開口した貫通溝が前記リンクを上下に貫通するように形成され、前記連結軸は前端が前記貫通溝の前側内壁に固定的に連結され、後端が前記貫通溝の後側内壁に固定的に連結され、
前記スライド板の中には、前記スライド板の回転中心から離れるように上方に開口した円弧溝が前記第一の側及び前記第二の側に対称となるように形成され、前記円弧溝の角度は百八十度であり、前記円弧溝の中にはスライダがスライド可能に設置され、前記スライダの中には前記スライド板の回転中心に向いて開口した凹溝が形成され、前記円弧溝において対称中心に近接した側の内壁が前記凹溝の中に伸びて前記スライダと連結されたため、前記スライダが前記円弧溝から離脱することはなく、
前記スライダの後端にはスライドガイド軸が固定的に連結され、前記リンクの中には前方に開口した位置制限溝が形成され、前記スライドガイド軸の後端が前記位置制限溝の中に延びて前記位置制限溝に沿ってスライドできることを特徴とする石油井戸口用盗難防止弁。
【請求項２】
前記密封箱の上端には前記石油汲み上げポンプが固定的に連結されていることを特徴とする請求項１に記載の石油井戸口用盗難防止弁。
【請求項３】
前記密封装置は前記制限空間の下側内壁に対称となるように、かつ固定的に連結された前記第一の側及び前記第二の側の伸縮ロッドを含み、
前記バルブボディーの中には下方に開口した六つの案内穴が環状に配列され、前記バルブボディーの中には六つの歯車空間が設置され、前記第一の側の三つの前記案内穴が前記第一の側の三つの前記歯車空間の反時計回り側の内壁に連通し、前記第二の側の三つの前記案内穴が前記第二の側の三つの前記歯車空間の時計回り側の内壁に連通し、前記第一の側の二つの前記歯車空間及び前記第二の側の二つの前記歯車空間の中には連結歯車が回転可能に設置され、
前記伸縮ロッドの後端面にはラックが固定的に設置され、前記第一の側の前記連結歯車と前記第二の側の前記連結歯車とがそれぞれ前記第一の側の前記ラックと前記第二の側の前記ラックと噛み合うことができ、前記第一の側の前記歯車空間と前記第二の側の前記歯車空間との間には百八十度の夾角が形成され、
四つの前記連結歯車の中にはスクリューが固定的に連結され、前記連結歯車を収容する四つの前記歯車空間において前記密封通路に近接した側の内壁には回収空間が設置され、前記回収空間が前記密封通路に連通し、前記回収空間の中には止め板がスライド可能に設置され、前記止め板の中には前記連結歯車に向いて開口したねじ穴が設置され、前記スクリューが前記ねじ穴の中に延びて前記止め板とねじ山により連結されていることを特徴とする請求項１に記載の石油井戸口用盗難防止弁。
【請求項４】
前記回転装置は前記地面の上側に回転可能かつスライド可能に設置されたスライド歯車を含み、前記スライド歯車が前記スライド板に固定的に連結され、前記スライド歯車の前記第一の側と前記第二の側には固定歯車が噛み合っており、前記固定歯車の下端には回転軸が固定的に連結され、前記地面の中には回転モーターが前記第一の側及び前記第二の側に対称となるように、かつ固定的に設置され、二本の前記回転軸の下端がそれぞれ両側の前記回転モーターに伝動可能に連結されていることを特徴とする請求項１に記載の石油井戸口用盗難防止弁。
【発明の詳細な説明】
【技術分野】
【０００１】
本願発明は石油井分野に関し、具体的には石油井戸口用盗難防止弁である。
【背景技術】
【０００２】
石油は粘性のある濃い茶色の液体で、日常生活や生産で広く使用され、地質調査の主な対象の一つである。石油は再生不可能エネルギーとして生成時間が長く、世界の石油の生産量が需要を超えるが、石油の価格が依然として高い。一般的な採掘方法は油田において井戸を掘削し、ポンプで原油を汲み上げることである。しかし、一般的に、石油井が開放されると、石油が盗まれることがある。これは、社会に石油の供給と需要の関係に影響を与える。本願発明に記載の石油井戸口用盗難防止弁は、上記の問題を解決でき、また、本願発明は開放された石油井戸口に設置され、体積が大きいため、容易に移動できなくて壊れにくく、盗難防止のために本願発明内部の密封通路を開ける方法は一つだけあり、一旦間違った方法を使用すると、密封通路は閉鎖され、この時、石油井から石油を汲み上げることができなくなる。
【先行技術文献】
【特許文献】
【０００３】
【特許文献１】中国特許出願公開第１０４０８９０３９号明細書
【発明の概要】
【発明が解決しようとする課題】
【０００４】
技術問題：
開放される石油井が盗まれやすく、市場に石油の供給と需要の関係に影響を与える。
【課題を解決するための手段】
【０００５】
上記の問題を解決するため、石油井戸口用盗難防止弁を設計し、本願発明に記載の石油井戸口用盗難防止弁は、井戸の蓋を含み、前記井戸の蓋が地面に固定的に設置され、前記地面の中には上方に開口した石油井が設置され、前記井戸の蓋の中には下方に開口した石油貯蔵空間が設置され、前記石油貯蔵空間が前記石油井と向き合い、前記石油貯蔵空間の上側内壁には上方に開口した抜き穴が前記石油貯蔵空間と連通するように設置され、前記井戸の蓋の上側にはバルブボディーが回転可能に設置され、前記バルブボディーの中には前記バルブボディーの中心から離れるように開口した連結空間が上下対称となるように設置され、前記井戸の蓋の上端が下側の前記連結空間の中に延びて前記バルブボディーと回転可能に連結され、前記バルブボディーの上側には前記バルブボディーの中心を回転中心とする密封箱が回転可能に設置され、前記密封箱の下端が上側の前記連結空間の中に延びて前記バルブボディーと回転可能に連結され、前記バルブボディーの中には密封通路が前記バルブボディーを上下に貫通するように設置され、前記密封通路の下側開口が前記バルブボディーの回転中心に位置し、前記密封箱の中には石油出し通路が前記密封箱を上下に貫通するように設置され、前記石油出し通路の下側開口が前記密封通路の上側開口と向き合い、前記石油出し通路の上側開口が前記密封箱の中心部に位置し、前記バルブボディーの上下両端には前記密封通路の中心を対称中心とする連結管路が対称となるように、かつ固定的に連結され、前記連結管路がそれぞれ前記密封通路の上下両側の開口と向き合い、前記連結管路において前記密封通路から離れた一端がそれぞれ前記井戸の蓋及び前記密封箱に当接し、前記連結管路の中には石油通路が前記連結管路を上下に貫通するように設置され、前記石油通路は前記石油出し通路及び前記抜き穴を前記密封通路と連通させ、前記バルブボディーの中には密封装置が設置され、前記密封装置により前記密封通路を閉じるまたは開けることができ、前記地面の上側には前記井戸の蓋の中心を回転中心として回転できるスライド板が上下方向にスライド可能に設置され、前記スライド板と前記井戸の蓋とが上下方向にスライド可能に連結され、前記スライド板の中には上方に開口した制限空間が設置され、前記スライド板がスライドすることにより、前記バルブボディーが前記制限空間の中に滑り込んで前記スライド板と噛み合うことができ、また、前記密封装置が前記密封通路を閉じるまたは開けるように駆動されることもでき、前記スライド板の左右両側には回転装置が設置され、前記回転装置は前記スライド板を回転させることができ、前記スライド板の左右両端には昇降装置が連結され、前記昇降装置は前記スライド板をスライドさせることができる。
【０００６】
有益なように、前記制限空間の円形内壁には、上方に開口した六つのキー溝が環状に配列され、かつ前記制限空間と連通し、前記バルブボディーの外周面には環状に配列された六つの固定キーが固定的に連結され、前記固定キーは前記キー溝の中に滑り込んで前記スライド板と連結されることができ、ここで前記スライド板が回転して前記固定キーにより前記バルブボディーを回転させる。
【０００７】
有益なように、前記密封箱の上端には石油汲み上げポンプが固定的に連結され、前記密封通路と前記石油出し通路とが連通するとき、前記石油汲み上げポンプを始動し、前記石油出し通路、前記石油通路、前記密封通路、前記抜き穴、及び前記石油貯蔵空間を介して前記石油井から石油を汲み上げ、石油を汲み上げる速度が速すぎるのを防止するために前記石油貯蔵空間は石油を一時的に貯蔵することができる。
【０００８】
前記密封装置は前記制限空間の下側内壁に左右対称となるように、かつ固定的に連結された伸縮ロッドを含み、前記バルブボディーの中には下方に開口した六つの案内穴が環状に配列され、前記バルブボディーの中には六つの歯車空間が設置され、左側の三つの前記案内穴が左側の三つの前記歯車空間の反時計回り側の内壁に連通し、右側の三つの前記案内穴が右側の三つの前記歯車空間の時計回り側の内壁に連通し、左側の二つの前記歯車空間及び右側の二つの前記歯車空間の中には連結歯車が回転可能に設置され、前記伸縮ロッドの後端面にはラックが固定的に設置され、左側の前記連結歯車は左側の前記ラックに噛み合うことができ、右側の前記連結歯車は右側の前記ラックに噛み合うことができ、前記連結歯車を収容しなくてそれぞれ左右両側に位置する二つの前記歯車空間との間には百八十度の夾角が形成され、四つの前記連結歯車の中にはスクリューが固定的に連結され、前記連結歯車を収容する四つの前記歯車空間において前記密封通路に近接した側の内壁には回収空間が設置され、前記回収空間が前記密封通路に連通し、前記回収空間の中には止め板がスライド可能に設置され、前記止め板の中には前記連結歯車に向いて開口したねじ穴が設置され、前記スクリューが前記ねじ穴の中に延びて前記止め板とねじ山により連結され、前記スライド板が上方にスライドすることにより前記伸縮ロッドが連動して上方にスライドして前記案内穴の中に入り、前記ラックと前記連結歯車とが噛み合うとき、前記ラックが上方にスライドして前記連結歯車を回転させ、前記スクリューにより前記止め板が前記密封通路の中に滑り込んで前記密封通路を閉じ、このとき、石油を汲み上げることができなく、前記伸縮ロッドが上方にスライドし、前記ラックと噛み合った前記連結歯車がないとき、前記密封通路が開けられた状態にあり、石油を汲み上げることができる。
【０００９】
前記回転装置は前記地面の上側に回転可能かつスライド可能に設置されたスライド歯車を含み、前記スライド歯車が前記スライド板に固定的に連結され、前記スライド歯車の左右両端には固定歯車が噛み合っており、前記固定歯車の下端には回転軸が固定的に連結され、前記地面の中には回転モーターが左右対称となるように、かつ固定的に設置され、二本の前記回転軸の下端がそれぞれ両側の前記回転モーターに伝動可能に連結され、
前記回転モーターを始動し、前記回転軸により前記固定歯車が駆動されて回転し、前記スライド歯車が駆動されて回転し、前記スライド板が駆動されて回転し、そして前記スライド板の回転角度はゼロ度以上百八十度以下の範囲内にある。
【００１０】
前記昇降装置は前記地面の中に左右対称となるように設置された空き空間を含み、前記空き空間の中には主動プーリが回転可能に設置され、前記主動プーリの中にはモーター軸が固定的に連結され、前記空き空間の後側内壁には昇降モーターが固定的に設置され、前記モーター軸の後端が前記昇降モーターに伝動可能に連結され、前記地面の上端には固定ロッドが左右対称となるように、かつ固定的に連結され、前記固定ロッドの中には下方に開口したベルト溝が形成され、前記ベルト溝の中には従動プーリが回転可能に設置され、前記従動プーリの中には連結軸が固定的に連結され、前記従動プーリと前記主動プーリとが連結ベルトにより連結され、前記固定ロッドにおいて対称中心に近接した側にはリンクが揺動可能に設置され、前記リンクの中には対称中心から離れるように開口した貫通溝が前記リンクを上下に貫通するように形成され、前記連結軸は前端が前記貫通溝の前側内壁に固定的に連結され、後端が前記貫通溝の後側内壁に固定的に連結され、前記スライド板の中には、前記スライド板の回転中心から離れるように上方に開口した円弧溝が左右対称となるように形成され、前記円弧溝の角度は百八十度であり、前記円弧溝の中にはスライダがスライド可能に設置され、前記スライダの中には前記スライド板の回転中心に向いて開口した凹溝が形成され、前記円弧溝において対称中心に近接した側の内壁が前記凹溝の中に伸びて前記スライダと連結されたため、前記スライダが前記円弧溝から離脱することはなく、前記スライダの後端にはスライドガイド軸が固定的に連結され、前記リンクの中には前方に開口した位置制限溝が形成され、前記スライドガイド軸の後端が前記位置制限溝の中に延びて前記位置制限溝に沿ってスライドでき、
前記昇降モーターを始動し、前記モーター軸により前記主動プーリが駆動されて回転し、前記連結ベルトにより前記従動プーリが駆動されて回転し、前記連結軸により前記リンクが駆動されて揺動し、前記スライドガイド軸により前記スライダが駆動されて上下にスライドし、さらに前記スライド板が駆動されて上下にスライドし、前記リンクが前記スライダをスライドさせる過程において、前記スライドガイド軸が前記位置制限溝に沿ってスライドできる。
【発明の効果】
【００１１】
本願発明の効果は：本願発明は開放された石油井戸口に設置され、体積が大きいため、容易に移動できなくて壊れにくく、盗難防止のために本願発明内部の密封通路を開ける方法は一つだけあり、一旦間違った方法を使用すると、密封通路は閉鎖され、この時、石油井から石油を汲み上げることができなくなる。
【図面の簡単な説明】
【００１２】
下記に図１〜９をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明の全体構成概略図
【図２】図２は図１におけるＡ―Ａ方向の構成概略図
【図３】図３は図１におけるＢ―Ｂ方向の構成概略図
【図４】図４は図１におけるＣ部の拡大概略図
【図５】図５は図１におけるＤ部の拡大概略図
【図６】図６は図４におけるＥ―Ｅ方向の構成概略図
【図７】図７は図４におけるＦ―Ｆ方向の構成概略図
【図８】図８は図５におけるＧ―Ｇ方向の構成概略図
【図９】図９は図５におけるＨ―Ｈ方向の構成概略図
【発明を実施するための形態】
【００１４】
本願発明は石油井戸口用盗難防止弁に関し、主に開放される石油井戸口の盗難防止のために使用され、以下、本願発明図面を参照してさらなる説明をする。
【００１５】
本願発明に記載の石油井戸口用盗難防止弁は、井戸の蓋１４を含み、前記井戸の蓋１４が地面１７に固定的に設置され、前記地面１７の中には上方に開口した石油井１５が設置され、前記井戸の蓋１４の中には下方に開口した石油貯蔵空間１６が設置され、前記石油貯蔵空間１６が前記石油井１５と向き合い、前記石油貯蔵空間１６の上側内壁には上方に開口した抜き穴３１が前記石油貯蔵空間１６と連通するように設置され、前記井戸の蓋１４の上側にはバルブボディー５４が回転可能に設置され、前記バルブボディー５４の中には前記バルブボディー５４の中心から離れるように開口した連結空間４３が上下対称となるように設置され、前記井戸の蓋１４の上端が下側の前記連結空間４３の中に延びて前記バルブボディー５４と回転可能に連結され、前記バルブボディー５４の上側には前記バルブボディー５４の中心を回転中心とする密封箱２９が回転可能に設置され、前記密封箱２９の下端が上側の前記連結空間４３の中に延びて前記バルブボディー５４と回転可能に連結され、前記バルブボディー５４の中には密封通路４２が前記バルブボディー５４を上下に貫通するように設置され、前記密封通路４２の下側開口が前記バルブボディー５４の回転中心に位置し、前記密封箱２９の中には石油出し通路３０が前記密封箱２９を上下に貫通するように設置され、前記石油出し通路３０の下側開口が前記密封通路４２の上側開口と向き合い、前記石油出し通路３０の上側開口が前記密封箱２９の中心部に位置し、前記バルブボディー５４の上下両端には前記密封通路４２の中心を対称中心とする連結管路４１が対称となるように、かつ固定的に連結され、前記連結管路４１がそれぞれ前記密封通路４２の上下両側の開口と向き合い、前記連結管路４１において前記密封通路４２から離れた一端がそれぞれ前記井戸の蓋１４及び前記密封箱２９に当接し、前記連結管路４１の中には石油通路４０が前記連結管路４１を上下に貫通するように設置され、前記石油通路４０は前記石油出し通路３０及び前記抜き穴３１を前記密封通路４２と連通させ、前記バルブボディー５４の中には密封装置１００が設置され、前記密封装置１００により前記密封通路４２を閉じるまたは開けることができ、前記地面１７の上側には前記井戸の蓋１４の中心を回転中心として回転できるスライド板３９が上下方向にスライド可能に設置され、前記スライド板３９と前記井戸の蓋１４とが上下方向にスライド可能に連結され、前記スライド板３９の中には上方に開口した制限空間４９が設置され、前記スライド板３９がスライドすることにより、前記バルブボディー５４が前記制限空間４９の中に滑り込んで前記スライド板３９と噛み合うことができ、また、前記密封装置１００が前記密封通路４２を閉じるまたは開けるように駆動されることもでき、前記スライド板３９の左右両側には回転装置１０１が設置され、前記回転装置１０１は前記スライド板３９を回転させることができ、前記スライド板３９の左右両端には昇降装置１０２が連結され、前記昇降装置１０２は前記スライド板３９をスライドさせることができる。
【００１６】
有益なように、前記制限空間４９の円形内壁には、上方に開口した六つのキー溝５１が環状に配列され、かつ前記制限空間４９と連通し、前記バルブボディー５４の外周面には環状に配列された六つの固定キー５３が固定的に連結され、前記固定キー５３は前記キー溝５１の中に滑り込んで前記スライド板３９と連結されることができ、ここで前記スライド板３９が回転して前記固定キー５３により前記バルブボディー５４を回転させる。
【００１７】
有益なように、前記密封箱２９の上端には石油汲み上げポンプ５６が固定的に連結され、前記密封通路４２と前記石油出し通路３０とが連通するとき、前記石油汲み上げポンプ５６を始動し、前記石油出し通路３０、前記石油通路４０、前記密封通路４２、前記抜き穴３１、及び前記石油貯蔵空間１６を介して前記石油井１５から石油を汲み上げ、石油を汲み上げる速度が速すぎるのを防止するために前記石油貯蔵空間１６は石油を一時的に貯蔵することができる。
【００１８】
前記密封装置１００は前記制限空間４９の下側内壁に左右対称となるように、かつ固定的に連結された伸縮ロッド４７を含み、前記バルブボディー５４の中には下方に開口した六つの案内穴５５が環状に配列され、前記バルブボディー５４の中には六つの歯車空間４８が設置され、左側の三つの前記案内穴５５が左側の三つの前記歯車空間４８の反時計回り側の内壁に連通し、右側の三つの前記案内穴５５が右側の三つの前記歯車空間４８の時計回り側の内壁に連通し、左側の二つの前記歯車空間４８及び右側の二つの前記歯車空間４８の中には連結歯車５２が回転可能に設置され、前記伸縮ロッド４７の後端面にはラック５７が固定的に設置され、左側の前記連結歯車５２は左側の前記ラック５７に噛み合うことができ、右側の前記連結歯車５２は右側の前記ラック５７に噛み合うことができ、前記連結歯車５２を収容しなくてそれぞれ左右両側に位置する二つの前記歯車空間４８との間には百八十度の夾角が形成され、四つの前記連結歯車５２の中にはスクリュー５０が固定的に連結され、前記連結歯車５２を収容する四つの前記歯車空間４８において前記密封通路４２に近接した側の内壁には回収空間４４が設置され、前記回収空間４４が前記密封通路４２に連通し、前記回収空間４４の中には止め板４６がスライド可能に設置され、前記止め板４６の中には前記連結歯車５２に向いて開口したねじ穴４５が設置され、前記スクリュー５０が前記ねじ穴４５の中に延びて前記止め板４６とねじ山により連結され、前記スライド板３９が上方にスライドすることにより前記伸縮ロッド４７が連動して上方にスライドして前記案内穴５５の中に入り、前記ラック５７と前記連結歯車５２とが噛み合うとき、前記ラック５７が上方にスライドして前記連結歯車５２を回転させ、前記スクリュー５０により前記止め板４６が前記密封通路４２の中に滑り込んで前記密封通路４２を閉じ、このとき、石油を汲み上げることができなく、前記伸縮ロッド４７が上方にスライドし、前記ラック５７と噛み合った前記連結歯車５２がないとき、前記密封通路４２が開けられた状態にあり、石油を汲み上げることができる。
【００１９】
前記回転装置１０１は前記地面１７の上側に回転可能かつスライド可能に設置されたスライド歯車２８を含み、前記スライド歯車２８が前記スライド板３９に固定的に連結され、前記スライド歯車２８の左右両端には固定歯車１３が噛み合っており、前記固定歯車１３の下端には回転軸１２が固定的に連結され、前記地面１７の中には回転モーター１１が左右対称となるように、かつ固定的に設置され、二本の前記回転軸１２の下端がそれぞれ両側の前記回転モーター１１に伝動可能に連結され、
前記回転モーター１１を始動し、前記回転軸１２により前記固定歯車１３が駆動されて回転し、前記スライド歯車２８が駆動されて回転し、前記スライド板３９が駆動されて回転し、そして前記スライド板３９の回転角度はゼロ度以上百八十度以下の範囲内にある。
【００２０】
前記昇降装置１０２は前記地面１７の中に左右対称となるように設置された空き空間１８を含み、前記空き空間１８の中には主動プーリ１９が回転可能に設置され、前記主動プーリ１９の中にはモーター軸２０が固定的に連結され、前記空き空間１８の後側内壁には昇降モーター３３が固定的に設置され、前記モーター軸２０の後端が前記昇降モーター３３に伝動可能に連結され、前記地面１７の上端には固定ロッド２１が左右対称となるように、かつ固定的に連結され、前記固定ロッド２１の中には下方に開口したベルト溝２３が形成され、前記ベルト溝２３の中には従動プーリ２５が回転可能に設置され、前記従動プーリ２５の中には連結軸２４が固定的に連結され、前記従動プーリ２５と前記主動プーリ１９とが連結ベルト２２により連結され、前記固定ロッド２１において対称中心に近接した側にはリンク２７が揺動可能に設置され、前記リンク２７の中には対称中心から離れるように開口した貫通溝２６が前記リンク２７を上下に貫通するように形成され、前記連結軸２４は前端が前記貫通溝２６の前側内壁に固定的に連結され、後端が前記貫通溝２６の後側内壁に固定的に連結され、前記スライド板３９の中には、前記スライド板３９の回転中心から離れるように上方に開口した円弧溝３８が左右対称となるように形成され、前記円弧溝３８の角度は百八十度であり、前記円弧溝３８の中にはスライダ３５がスライド可能に設置され、前記スライダ３５の中には前記スライド板３９の回転中心に向いて開口した凹溝３７が形成され、前記円弧溝３８において対称中心に近接した側の内壁が前記凹溝３７の中に伸びて前記スライダ３５と連結されたため、前記スライダ３５が前記円弧溝３８から離脱することはなく、前記スライダ３５の後端にはスライドガイド軸３６が固定的に連結され、前記リンク２７の中には前方に開口した位置制限溝３４が形成され、前記スライドガイド軸３６の後端が前記位置制限溝３４の中に延びて前記位置制限溝３４に沿ってスライドでき、
前記昇降モーター３３を始動し、前記モーター軸２０により前記主動プーリ１９が駆動されて回転し、前記連結ベルト２２により前記従動プーリ２５が駆動されて回転し、前記連結軸２４により前記リンク２７が駆動されて揺動し、前記スライドガイド軸３６により前記スライダ３５が駆動されて上下にスライドし、さらに前記スライド板３９が駆動されて上下にスライドし、前記リンク２７が前記スライダ３５をスライドさせる過程において、前記スライドガイド軸３６が前記位置制限溝３４に沿ってスライドできる。
【００２１】
以下、図１〜９を合わせて本願発明の使用手順について詳しく説明する。
【００２２】
はじめに、スライド板３９が下限界位置にあり、伸縮ロッド４７が案内穴５５の中に伸びていなく、止め板４６が密封通路４２の中に滑り込んでいなく、密封通路４２が開けられた状態であって石油通路３０と連通していなく、バルブボディー５４がスライド板３９と連結されていない。
【００２３】
使用のとき、回転モーター１１を始動し、回転軸１２により固定歯車１３が駆動されて回転し、スライド歯車２８が駆動されて回転し、スライド板３９が駆動されて回転し、両側の伸縮ロッド４７が駆動されて回転し、このとき、スライダ３５が円弧溝３８に沿ってスライドし、スライド板３９の回転可能範囲はゼロ以上百八十度以下であり、両側の伸縮ロッド４７がそれぞれ両側の案内穴５５と向き合っており、このとき、回転モーター１１を止めて昇降モーター３３を始動し、モーター軸２０により主動プーリ１９が駆動されて回転し、連結ベルト２２により従動プーリ２５が駆動されて回転し、連結軸２４によりリンク２７が駆動されて揺動し、スライドガイド軸３６によりスライダ３５が駆動されて上方にスライドし、さらにスライド板３９が駆動されて上方にスライドし、伸縮ロッド４７が上方にスライドして案内穴５５の中に入り、固定キー５３がキー溝５１の中に滑り込んでスライド板３９と連結されるまで昇降モーター３３を止めて改めて回転モーター１１を始動し、さらに改めてスライド板３９が駆動されて回転し、固定キー５３がバルブボディー５４を密封通路４２と石油出し通路３０とが連通するまで回転させる。
【００２４】
伸縮ロッド４７が上方にスライドする過程において、ラック５７と噛み合った連結歯車５２がなく、密封通路４２が開けられた状態にあり、密封通路４２と石油出し通路３０とが連通したあと、石油汲み上げポンプ５６を始動し、石油出し通路３０、石油通路４０、密封通路４２、抜き穴３１、及び石油貯蔵空間１６を介して石油井１５から石油を汲み上げ、汲み上げた後、回転モーター１１と昇降モーター３３を逆方向に始動することにより、石油出し通路３０と密封通路４２とが連通しなくなり、密封通路４２、抜き穴３１、及び石油貯蔵空間１６の中の石油は、本願発明の石油井戸口用盗難防止弁が初期位置に戻るまで改めて石油井１５の中に戻り、伸縮ロッド４７が上方にスライドする過程において、ラック５７と噛み合った連結歯車５２があり、ラック５７が上方にスライドして連結歯車５２を回転させ、スクリュー５０により止め板４６が密封通路４２の中に滑り込んで密封通路４２を閉じ、このとき、石油汲み上げポンプ５６を始動することで石油井１５から石油を汲み上げることができなく、昇降モーター３３が逆方向に作動してスライド板３９を下方にスライドさせることもできなく、この時、石油井１５の石油が盗まれるのを防止するために密封通路４２がずっと閉じられた状態にある。
【００２５】
上記の方式によって、当業者は本発明の範囲内で作業状況に基づいて様々な改変を加えられる。
【要約】
【課題】本願発明は石油井戸口用盗難防止弁を開示した。
【解決手段】
井戸の蓋を含み、前記井戸の蓋が地面に固定的に設置され、前記地面の中には上方に開口した石油井が設置され、前記井戸の蓋の中には下方に開口した石油貯蔵空間が設置され、前記石油貯蔵空間が前記石油井と向き合い、前記石油貯蔵空間の上側内壁には上方に開口した抜き穴が前記石油貯蔵空間と連通するように設置され、本願発明は開放された石油井戸口に設置され、体積が大きいため、容易に移動できなくて壊れにくく、盗難防止のために本願発明内部の密封通路を開ける方法は一つだけあり、一旦間違った方法を使用すると、密封通路は閉鎖され、この時、石油井から石油を汲み上げることができなくなる。
【選択図】図１【図１】
0006860760.tif 000002
【図２】
0006860760.tif 000003
【図３】
0006860760.tif 000004
【図４】
0006860760.tif 000005
【図５】
0006860760.tif 000006
【図６】
0006860760.tif 000007
【図７】
0006860760.tif 000008
【図８】
0006860760.tif 000009
【図９】
0006860760.tif 000010